(57)【要約】【課題】  使用者の意図する動作に従ってハンズフリーで素早く発光部の発光、消光の切替えができる省エネルギー型の光源付ヘッドルーペに関する。【解決手段】  前方を照明する発光部を備えた光源付ヘッドルーペに基準角度より仰角か俯角かを検出して発光部を発光、消光させる基準角度検出手段と、電源をオンオフする作動手段とによって構成する。【選択図】図１
2007250514.tif 000002
【特許請求の範囲】
【請求項１】
前方に拡大鏡を備えた頭部装着式拡大鏡に前方を照明するように発光部を装着した頭部装着式拡大鏡（以下、光源付ヘッドルーペという。）に、該光源付ヘッドルーペが基準角度に対して仰角側の角度であるか否かを検出する検出手段と、使用者の操作に応じて前記発光部を発光および消光させる作動手段とを備え、前記仰俯角が前記基準角度に対して仰角側の角度である場合には、前記作動手段の動作に関わらず、前記発光部を消光させることを特徴とする光源付ヘッドルーペ。
【請求項２】
前記基準角度を調節できる角度検出手段を備えることを特徴とする請求項１記載の光源付ヘッドルーペ。
【請求項３】
前記基準角度の調節できる角度検出手段を複数備えることを特徴とする請求項１及び請求項２記載の光源付ヘッドルーペ。
【請求項４】
前記発光部の発光量を調節する発光量調節手段を備えることを特徴とする請求項１乃至請求項３記載の光源付ヘッドルーペ。
【発明の詳細な説明】
【技術分野】
【０００１】  本発明は、先端に拡大鏡を備えて頭部に装着する方式の頭部装着式拡大鏡に光源を追備したもので、通称、光源付きヘッドルーペと呼ばれて市販されている物に関する。
【背景技術】
【０００２】  上記市販されている光源付きヘッドルーペは、老眼や視力の低下した人が照度不足の場所で細かい作業をする時等に多く使われて来たが、使用者が作動手段である手動スィッチを操作して発光および消光させる様に作られているため、例えば、光源付きヘッドルーペをつけて作業している人が不意に顔を上げた瞬間に顔が合ってしまった時や、何かの問い掛けに答えるために向き合った時等、発光状態の光源の光に幻惑されて他人に不快な思いをさせることになるので使用者はその都度作業を中断して上記手動スィッチを手動操作して消光するか、光源付きヘッドルーペを外した後に上記手動スィッチを手動操作して消光すると言う煩わしさに加えて、上記スィッチを手動操作して消灯する迄の間は発光しているので、電源の無駄な消耗を伴うものであった。
【発明の開示】
【発明が解決しようとする課題】
【０００３】  本発明は、この様な事情を考慮して為されたもので、両手を使わない状態（以下、これをハンズフリーという。）で、使用者の意思により発光および消光させる動作手段を備えてハンズフリーでも必要時に自動的に発光し、必要がないときは消光できるもの、すなわち必要に応じて自動的に、簡単かつ短時間にハンズフリーで発光部を発光または消光できること、および電源の無駄使いを減らして省エネルギー化することを目的とする。
【課題を解決するための手段】
【０００４】  上従の目的により、本発明１は光源付ヘッドルーペの前方を照明し得るように設けた発光部と、該光源付ヘッドルーペの仰俯角が基準角度に対して仰角側の角度であるか否かを検出する角度検出手段と、使用者の操作に応じて前記発光部を発光状態にする、または消光状態にする作動手段を備え、前記仰俯角が前記基準角度に対して仰角の角度である場合には、前記作動手段の動作に関わらず前記発光部を消光させるものである。【０００５】  本発明１によれば、前記作動手段を発光状態にして装着した光源付ヘッドルーペが、前記基準角度に対して仰角の角度である場合には前記作動手段の動作に関わらず発光部は消光する。  例えば視力の低下した人が照度不足の場所で、前記光源付ヘッドルーペを装着して前記基準角度より俯角側に設けられた対象物の方に顔を向けて微細加工等の作業する場合、光源付ヘッドルーペは前記基準角度より俯角となり発光部が発光するので拡大鏡を通して拡大した対象物に発光部の照明が加えられて対象物を見易くできる。  また、前記光源付ヘッドルーペの仰俯角が前記基準角度に対して仰角の角度である場合には前記作動手段の動作に関わらず前記光源を自動的に消光させるので、上記作業者が作業対象物から目を離して顔を上げて前記光源付ヘッドルーペが基準角度より仰角側になると光源が自動的に消光するので、他人が発光部の光に幻惑されて不快な思いをさせられることが無くなり、さらに非作業時間すなわち作業対象物等から目を離して顔を上げている間は、上記により消光しているので電源の無駄使いが減り、省エネルギー化する事ができる。【０００６】  本発明２の光源付ヘッドルーペは前記発明１の角度検出手段に基準角度を調節する機能を設けて、使用者が前記基準角度を任意に変更できるようにしたものである。【０００７】  上記、光源付ヘッドルーペを使用する場合に作業対象物の形状や位置あるいは色によって照射角度を変える必要があること等を考慮すれば、本発明２のように基準角度が調節可能である事が望ましい。【０００８】  本発明３の光源付ヘッドルーペは、前期基準角度が調節できる複数の角度検出手段と、該角度検出手段に対応する発光部に複数のランプを備えたものである。  例えば合計３個のランプを１個のランプと２個組みのランプに使い分けて二種類の用途で使用できる様に構成した発光部と、仰俯角が基準角度に対して仰角側の角度であるか否かを検出する二種類の角度検出手段を設けて、第一の角度検出手段は光源付ヘッドルーペが『水平の状態』を第一の基準角度として、該基準角度より俯角の角度であれば１個のランプを点灯させ、第二の角度検出手段は光源付ヘッドルーペが『水平より１５度仰角』を第二の基準角度として、第二の基準角度より仰角の角度であれば２個のランプを点灯する様にしたものである。  従って、上記光源付ヘッドルーペが第一の基準角度『水平』より下向きならば、第一の角度検出手段は上記第一の基準角度より俯角の角度となり１個のランプを点灯させるが、この時、第二の角度検出手段は第二の基準角度『水平より１５度仰角』より下向きとなり、該第二の基準角度より俯角の角度になるので上記２個のランプは消灯状態になる。
逆に、上記光源付ヘッドルーペが該第二の基準角度より仰角の角度になると上記２個のランプが点灯するが、この時、第一の角度検出手段は上記第一の基準角度より仰角の角度となるので、上記１個のランプは消灯状態になる。【０００９】  つまり上記による本発明３は、設定基準角度より仰角の角度になるとランプを消灯させる第一の角度検出手段と、別途設けた基準角度より仰角の角度になるとランプを点灯させる第二の角度検出手段とにより、使用者が必要とする複数の用途に応じて発光部の照明が使い分けできるようにしたもので、例えば手元照明用として、第一の角度検出手段により第一の基準角度を検出して１個のランプを点灯させる一方、遠方照明用に第二の角度検出手段により第二の基準角度を検出して２個のランプを点灯させるという２種類の用途に対応できる様にしたものである。  なお、本発明３に用いられる複数の角度検出手段は、決められた角度に固定されたものであってもよい。【００１０】  本発明４の光源付ヘッドルーペは、前記発明１乃至発明３に発光部の発光量を調節する手段を設けたものである。【００１１】  上記、光源付ヘッドルーペを使用する場合に作業対象物の位置や形状、あるいは色によって発光部の発光量を調節する機構を有する事が望ましく、また、作業対象物によって適切な発光量が異なるので発光部の発光量を調節することが望ましい。  すなわち、作業対象物が所望の明るさを得るには、周囲の照度に応じて発光部の発光量を調節することが望ましい。  従って、前記本発明４のような発光部の発光量が調節可能であることが好ましい。
【発明の効果】
【００１２】  上述のごとく本発明のヘッドルーペは、使用者の意図する動作に従ってハンズフリーで素早く発光部の発光、消光の切替えができるもの、すなわち使用者の意思によりハンズフリーで発光部を発光、消光できる光源付ヘッドルーペを提供するものである。  さらに、本発明は使用者が意図して動作させるための角度検出手段の基準角度を変えることにより照明の角度が変えられる様にすると共に対象物の色や形状に合わせて発光量を調節できるようにして、該ヘッドルーペの用途を拡大したものである。  また、上記の動作によって素早く発光部を発光または消光することにより、無駄な点灯時間を減らして省エネルギー化を可能にしたものである。
【発明を実施するための最良の形態】
【００１３】  以下、本発明による光源付ヘッドルーペについて、図面を参照して説明する。【００１４】  図１は、本発明１の実施の形態による光源付ヘッドルーペの傾視図、図２は光源付ヘッドルーペの動作（発光）状態を示す側面図である。【００１５】  本発明１の光源付ヘッドルーペ１は、ディスクリート型の白色ＬＥＤランプ２ａを用いた発光部２、電源部３、電源をオン、オフする作動手段であるスライドスィッチ４、角度検出手段として用いた水銀スィッチ５を一体化して、さらにこれらをリングベルト方式の頭部固定具に一体化したヘッドルーペ本体１ａによって構成されている。
尚、以下実施の形態の説明において電気回路と配線図および電源の電池は図示及び説明を省略する。  またヘッドルーペの拡大鏡１ｓおよび本体の後部に設けられたマジックテープを使った止め具１ｔについても図２以降、符号と説明を省略する。【００１６】  本発明１の実施の形態は、スライドスィッチ４がオンに成っている状態において、水銀スィッチ５がヘッドルーペ本体１ａの仰俯角が基準角度に対して仰角側の角度であるか否かによって発光部を発光、消光させる。  すなわち、図２の動作状態を示す側面図のように、ヘッドルーペ本体１ａの仰俯角が基準角度に対して俯角側の角度であれば発光部が発光し、仰角側の角度である場合には発光部は自動的に消光する。【００１７】  従って本実施形態の光源付きヘッドルーペ１は、予めスライドスィッチ４をオンにして頭部に装着して、前記本体１ａが基準角度より俯角側の角度であればハンズフリーで発光部が発光して対象方向を照明し、仰角側の角度であれば消灯するので、例えばヘッドルーペ本体１ａの水平を基準角度とした場合、光源付きヘッドルーペ１を装着して俯角側となる下向きで作業している時は水銀スィッチ５が上記基準角度より俯角側の角度になるので上記白色ＬＥＤランプ２ａが点灯し、作業を一時停止して仰角側となる上を向いた時には基準角度より仰角側の角度になるので該白色ＬＥＤランプ２ａは消灯するから、他人に声を掛けられて振り向いたとしても即座に消灯するので該白色ＬＥＤランプ２ａの光が他人を直射して不快な思いをさせる事がない。【００１８】  図３は、第二の実施の形態による光源付ヘッドルーペの傾視図、図４は動作状態を示す側面図である。【００１９】  第二の実施の形態による光源付ヘッドルーペ２１は、ディスクリート型のＬＥＤランプ２２ａを用いた発光部２２、電源部２３、電源をオン、オフする作動手段であるスライドスィッチ２４、止具２５ｎを使って基準角度を可変可能にした角度検出手段の水銀スィッチ２５およびヘッドルーペ本体２１ａによって構成される。【００２０】  この種の光源付ヘッドルーペは作業対象物の位置や形状によって発光部の照明角度を変えて見ることが望ましい場合があり、本実施形態はこの様な用途に対応すべく止具２５ｎを回転軸とした水銀スィッチ２５を時計回りまたは反時計回りに動かすことにより基準角度が変えられるようにしたものである。【００２１】  ヘッドルーペ本体２１に設けられた、上記角度検出手段である水銀スィッチ２５は、スライドスィッチ２４がオンになっている状態において、ヘッドルーペ本体２１の動作によって発光部２２を発光または消光させる。  すなわち、ヘッドルーペ本体２１の仰俯角が上記角度検出手段によって設定された基準角度に対して俯角側の角度であれば発光部２２は発光し、仰角側の角度である場合には発光部２２は自動的に消光する。【００２２】  図４の動作状態のように、例えば上記角度検出手段である水銀スィッチ２５の基準角度をヘッドルーペ本体２１の『水平より１０度仰角』に設定した場合、該『水平より１０度』より俯角側の角度であれば発光部２２が発光する。  従ってヘッドルーペ本体２１ａが水平より仰角側の角度でも上記基準角度の範囲内で俯角側にあれば発光部２２が点灯するので��上記基準角度の範囲内で下側からも照明できることになり、対象物の角度を変えて見る場合にも見易い照明が得られると共に、使用者の意思によりハンズフリーで発光部２２を発光、消灯させて電源の無駄使いを減らして省エネルギー化するものである。【００２３】  図５は、第三の実施の形態による光源付ヘッドルーペの傾視図、図６は動作状態を示す側面図である。【００２４】  第三の実施の形態による光源付ヘッドルーペ３１は、複数のディスクリート型の白色ＬＥＤランプ３２ａ，３２ｂ，３２ｃを備えた発光部３２および電源部３３、電源をオン、オフする動作手段であるスライドスィッチ３４と止具３５ａｎ（図示省略）によって基準角度を可変できる第一の角度検出手段として用いた水銀スィッチ３５ａと第二の角度検出手段として用いた止具３５ｂｎにより基準角度可変可能にした水銀スィッチ３５ｂおよび一対の止具３１ｎを軸にヘッドルーペ本体３１ａを上下に動かすことができるように取付けられたリングベルト方式の頭部固定具３１ｖによって構成されている。【００２５】  本実施形態は、例えば基準角度可変可能な２種類の角度検出手段として水銀スィッチ３５ａ、３５ｂを用いて、あらかじめ想定した２種類の用途に応じて発光部３２を２方向の照明に使い分けるもの、すなわち第一の角度検出手段である水銀スィッチ３５ａによりＬＥＤランプ３２ａを点灯して手元照明とする一方、第二の角度検出手段である水銀スィッチ３５ｂによりＬＥＤランプ３２ｂと３２ｃを点灯して先方を照明すると言う２種類の用途に対応できる様にしたものである。【００２６】  本実施の形態３では、例えば第一の角度検出手段である水銀スィッチ３５ａを止具３５ａｎ（図示省略）を軸に時計回りまたは反時計回りに角度を変えて第一の基準角度をヘッドルーペ本体３１ａの『水平』に設定して、ヘッドルーペ本体３１ａが第一の基準角度より俯角側になるとＬＥＤランプ３２ａを点灯させて手元を照明する一方、第二の角度検出手段である水銀スィッチ３５ｂを止具３５ｂｎを軸に上記同様に角度を変えて第二基準角度をヘッドルーペ本体３１ａの『水平より１５度仰角』に設定して、該本体３１ａが第二基準角度より仰角側になるとＬＥＤランプ３２ｂと３２ｃを点灯させて先方を照明させるものである。  すなわち、図６が示すように、該ヘッドルーペ本体３１ａが上記『水平』より仰角であり、上記『水平より１５度仰角』より俯角の範囲にある時は第一の角度検出手段がＬＥＤランプ３２ａを、第二の角度検出手段がＬＥＤランプ３２ｂと３２ｃをそれぞれ消灯させるので発光部３２は消灯状態となる。【００２７】  上述の如く本実施形態では、例えば光源付ヘッドルーペ３１の使用者がスライドスィッチ３４をオンにした後、光源付ヘッドルーペ本体３１ａが水平より俯角になる下向きの角度で手元作業をしている時は、第一の角度検出手段によりＬＥＤランプ３２ａが点灯して手元を照明し、第一の基準角度である『水平』より仰角側になると消灯する一方、光源付ヘッドルーペ本体３１ａが第二の基準角度である『水平より１５度俯角』より仰角側になると第二の角度検出手段によりＬＥＤランプ３２ｂ、３２ｃが点灯して先方を照明し、第二の基準角度より俯角側になると消灯するので、��の場合ヘッドルーペ本体３１ａは上記第一および第二基準角度の合計である１５度の範囲で消灯し（図６）該消灯範囲を越えると、どちらか一方の角度検出手段によりどちらか一方のＬＥＤランプが点灯することになる。  従って、使用者は必要に応じて任意に２種類の基準角度を設定してハンズフリーで２種類の照明を選択して利用できる。  さらに一対の止め具３１ｎを軸にヘッドルーペ本体３１ａを動かすことにより、上記同様の動作が得られるので顔の向きを変えずにＬＥＤランプを点灯、消灯することができる。  また本実施形態では、ＬＥＤがすべて同一方向を向いている必要もなく適宜角度を変えてもよい。【００２８】  図７は、第四の実施の形態による光源付ヘッドルーペの傾視図である。
第四の実施の形態による光源付ヘッドルーペ４１はディスクリート型の白色ＬＥＤランプ４２ａを用いた発光部４２、電源部４３、電源をオン、オフする動作手段と発光量を調節する手段を兼用できるスィッチ付きボリューム４４、角度検出手段として用いた水銀スィッチ４５およびこれらを一体化したヘッドルーペ本体４１によって構成される。  なお、本実施の形態は前述した各発明に発光量を調節する手段を加えることを特徴とするもので、前記角度検出手段により発光部を発光、消灯させる機能他は重複するので動作状態を示す図とその動作説明を省略する。【００２９】  本実施形態は作業対象物によって適切な発光量が異なる場合を考慮したもの、すなわち作業対象物に合わせて所望の明るさが得られるように、また周囲の照度に応じて前記発光部４２の発光量を簡単な操作でできる形態として、発光量を調節するボリュムコントロールと電源をオン、オフする作動手段としての機能を兼備えた、スィッチ付きボリューム４４を用いたものである。【００３０】  以上本発明の各実施形態について説明したが、本発明は発光部に用いるＬＥＤの種類や形状を限定するものではない。  従って上述した本実施の各形態では発光部にディスクリート型の白色ＬＥＤランプが用いられているが、Ｒ，Ｇ，ＢのＬＥＤを複合したいわゆる全色タイプのＬＥＤを用いてもよく、これらのチップ型のＬＥＤでもよいし、発熱灯他任意の光源を用いても良い。  すなわち、発光部が発する照明光は白色に限定されるものではなく所定の色であってもよいので、例えば、発光部に全色タイプのＬＥＤを用いて状況や用途や使用者の感度特性等に応じて発光色を適宜変更できるようにしておいてもよい。また、作動手段として用いたスライドスィッチは本光源付ヘッドルーペを使用する前にあらかじめオンにして置き、使用中の発光部の発光、消光は水銀スィッチにて行い、使用後オフにして置くと言う役目を負うものであるから、製品コスト低減のため該スライドスィッチを省略してもよい。  さらに上述した各実施形態に限定されるものではない。
【図面の簡単な説明】
【００３１】
【図１】本発明の実施例１を示す光源付ヘッドルーペの斜視図
【図２】実施例１の動作状態を示す側面図
【図３】本発明の実施例２を示す光源付ヘッドルーペの斜視図
【図４】実施例２の動作状態を示す側面図
【図５】本発明の実施例３を示す光源付ヘッドルーペの斜視図
【図６】実施例３の動作状態を示す側面図
【図７】本発明の実施例４を示す光源付ヘッドルーペの斜視図
【符号の説明】
【００３２】１，２１，３１，４１  光源付ヘッドルーペ
１ａ，２１ａ，３１ａ，４１ａ  光源付ヘッドルーペの本体
３１ｎ  光源付ヘッドルーペの本体の止具
２，２２，３２，４２  光源部
２ａ，２２ａ，３２ａ，３２ｂ，３２ｃ，４２ａ  ＬＥＤランプ
３，２３，３３，４３  電源部
４，２４，３４  スライド  スィッチ
４４  スィッチ付きボリューム
５，２５，３５ａ，３５ｂ，４５  水銀スィッチ
２５ｎ，３５ａｎ，３５ｂｎ，４５ｎ  水銀スィッチの止具
１ｓ  光源付ヘッドルーペの拡大鏡
１ｔ  マジックテープ
【図１】
2007250514.tif 000003
【図２】
2007250514.tif 000004
【図３】
2007250514.tif 000005
【図４】
2007250514.tif 000006
【図５】
2007250514.tif 000007
【図６】
2007250514.tif 000008
【図７】
2007250514.tif 000009